(57)【要約】【課題】入力搬送色信号のレベルが変動した場合でも映像の品位が低下することのない色信号再生回路を提供すること。【解決手段】ＡＣＣ回路８内の時定数切替部２６に６ビットシフト回路２６と２ビットシフト回路２７という２つの時定数回路を設け、カラーキラー回路９から出力されるキラー判別データにより切替スイッチ２５を切り換えるようにする。このようにすれば、例えば搬送色信号に含まれるバースト信号のレベルが無いとき、及び、バースト信号が無信号から有信号に変化した瞬間においては、応答速度の速い２ビットシフト回路２７が選択されるようにした。【選択図】　　　　図２
2004080536.tif 000002
【特許請求の範囲】
【請求項１】
搬送色信号を増幅する増幅手段と、
上記搬送色信号からバースト信号を抽出するバースト信号抽出手段と、
上記バースト信号抽出手段により抽出されるバースト信号のレベルに応じて、上記増幅手段の利得を制御する利得データを上記増幅手段に対して出力する色信号利得制御手段と、
上記バースト信号抽出手段により抽出される抽出信号からバースト信号の有無を判別し、その判別結果に応じた判別データを出力するバースト信号判別手段とを備え、
上記色信号利得制御手段は、上記バースト信号判別手段からの判別データに基づいて、上記増幅手段を上記利得データに応じた利得に引き込む引込速度を、上記判別データに応じて切り替え可能に構成されていることを特徴とする色信号再生回路。
【請求項２】
上記バースト信号判別手段は、上記バースト信号のレベルが変化したタイミングから、所定時間だけ遅延したタイミングで変化させた判別データを出力させることを特徴とする請求項１に記載の色信号再生回路。
【請求項３】
上記バースト信号判別手段は、カラーキラー回路であることを特徴とする請求項１に記載の色信号再生回路。
【請求項４】
上記色信号利得制御手段は、
上記バースト信号抽出手段により抽出されるバースト信号のピークレベルを検出するピークレベル検出手段と、
上記ピークレベル検出手段により検出されたバースト信号のピークレベルを基準レベルと比較し、その差分信号を出力する比較手段と、
第１の時定数が設定された第１の時定数回路と、第２の時定数が設定された第２の時定数回路とを備え、上記バースト信号判別手段からの判別データに基づいて、上記差分信号を上記第１又は第２の時定数回路のいずれかを介して出力するように構成された時定数切替手段と、
を有していることを特徴とする請求項１に記載の色信号再生回路。
【発明の詳細な説明】
【０００１】
【発明の属する技術分野】
本発明は、カラーテレビジョン受信装置に備えられている色信号再生回路に関するものである。
【０００２】
【従来の技術】
従来からカラーテレビジョン受信装置では、例えば複合映像信号から搬送色信号を分離し、この分離した搬送色信号から色差信号を再生する色信号再生回路が備えられている。
このような色信号再生回路は、例えば帯域増幅回路、色同期回路、色復調回路、色信号出力回路などを備えて構成される。
帯域増幅回路は、複合映像信号から搬送色信号を分離して増幅するようにされる。
色復調回路は、帯域増幅回路で分離、増幅した搬送色信号から色差信号を復調するようにされる。
色同期回路は、搬送色信号に含まれているカラーバースト信号に同期した３．５８ＭＨｚの同期信号を生成するようにされる。
色信号出力回路は、上記色復調回路からの色差信号を増幅して、例えばＣＲＴなどの表示装置に対して供給するようにされる。
【０００３】
また、カラーテレビジョン受信装置では、受信状態の変化などにより、搬送色信号レベルが変動すると、色飽和度が変化し、表示画像の色の濃さが変化するという不具合が生じる。
このため、従来から色信号再生回路には、帯域増幅回路の利得を自動的に調整する色信号利得制御回路（以下、「ＡＣＣ（Ａｕｔｏｍａｔｉｃ　Ｃｏｌｏｒ　Ｃｏｎｔｒｏｌ）回路」という）が設けられている。
このようなＡＣＣ回路では、搬送色信号の基準となるカラーバースト信号成分のレベルとリファレンスレベルとの比較を行う。そして、比較結果に応じて帯域増幅回路の利得を制御することで、搬送色信号のレベルを一定に保つようにしている。
【０００４】
【発明が解決しようとする課題】
ところで、上記したようなＡＣＣ回路を構成する際は、ＡＣＣ回路が帯域増幅回路の利得を引き込む速度（応答速度）を、どの程度の速度に設定するかが１つの重要なポイントになる。
しかしながら、放送信号（ＲＦ信号）は、電界の影響を受けやすいため受信中に映像信号のレベルが変動するため、例えばＡＣＣ回路の引き込み速度（応答速度）を速くすると、受信中における映像信号のレベル変動に追従してカラーレベルが変化して画像品位の低下を招くことになる。
このため、ＡＣＣ回路の応答速度は、上記したような電界の影響を受けない程度の比較的遅い速度に設定するようにしている。
【０００５】
しかしながら、ＡＣＣ回路の引き込み速度を遅くした場合は、以下のような不具合が生じる。
ＡＣＣ回路は、搬送色信号に含まれるカラーバースト信号が所定レベル以下になるとカラーバースト信号が含まれていないもとして帯域増幅回路の利得が最大となるように利得制御を行う。
そして、このような利得が最大のもとで、所定レベル以上のカラーバースト信号が入力されると、つまりカラーバースト信号が含まれていると判別すると、ＡＣＣ回路はカラーバースト信号のレベルに基づいて帯域増幅回路の利得制御を行うことになるが、ＡＣＣ回路の引き込み速度が遅いため、カラーバースト信号が所定レベル以上に変化するタイミングでは、帯域増幅回路の利得は最大のままとされる。
このため、ＡＣＣ回路により帯域増幅回路の利得が適正なレベルに引き込まれるまでの期間においては、帯域増幅回路により色信号のレベルが過大に補正され、表示画像の品位が低下するという不具合が発生することがあった。
【０００６】
【課題を解決するための手段】
そこで、本発明は上記したような点を鑑みてなされたものであり、搬送色信号のレベルが変動した場合でも画像品位が低下することのない色信号再生回路を提供することを目的とする。
【０００７】
上記目的を達成するため、本発明の色信号再生回路は、搬送色信号を増幅する増幅手段と、搬送色信号からバースト信号を抽出するバースト信号抽出手段と、バースト信号抽出手段により抽出されるバースト信号のレベルに応じて、増幅手段の利得を制御する利得データを増幅手段に対して出力する色信号利得制御手段と、バースト信号抽出手段により抽出される抽出信号からバースト信号の有無を判別し、その判別結果に応じた判別データを出力するバースト信号判別手段とを備え、色信号利得制御手段は、バースト信号判別手段からの判別データに基づいて、増幅手段を利得データに応じた利得に引き込む引込速度を判別データにより切り換え可能に構成されている。
【０００８】
本発明によれば、搬送色信号に含まれるバースト信号の有無に応じてバースト信号判別手段から出力される判別データに基づいて、搬送色信号を増幅する増幅手段の利得を利得データに応じた利得に引き込む引込速度を、判別データにより切り換えるように構成したことで、搬送色信号のレベル変動に対する色信号利得制御回路の応答速度を適正なものとすることが可能になる。
【０００９】
【発明の実施の形態】
以下、本発明の実施の形態について説明する。
図１は、本発明の実施の形態としての色信号再生回路の構成を示したブロック図である。
この図１に示す本実施の形態の色信号再生回路１は、帯域増幅回路２、色同期回路３、色復調回路４、及び色信号出力回路であるマトリクス回路５により構成される。
破線で囲った帯域増幅回路２は、第１帯域増幅回路６、第２の帯域増幅回路７、ＡＣＣ回路８、カラーキラー回路９を備えて構成され、例えば入力信号であるデジタル複合映像信号から搬送色信号を分離して増幅するようにされる。なお、帯域増幅回路２の帯域幅は、例えば３．５８±０．５ＭＨｚとされる。
この場合、第１帯域増幅回路６と第２帯域増幅回路とにより、デジタル複合映像信号から搬送色信号を分離して増幅するようにされる。
第１帯域増幅回路６はＡＣＣ回路８により利得（ゲイン）制御可能に構成される。また第２帯域増幅回路７は、カラーキラー回路９によって、動作制御可能に構成される。
【００１０】
ＡＣＣ回路８は、例えば受信状態の変化などの輝度信号に対する搬送色信号のレベル変動により、色飽和度が変化して表示画面の色の濃さが変化するのを防止するために設けられている。
このため、ＡＣＣ回路８は、搬送色信号の基準となるバースト信号成分のレベルをリファレンスレベルと比較し、その結果に基づいて第１帯域増幅回路６の利得を制御するようにしている。これにより、搬送色信号のレベルを一定に保つようにしている。
【００１１】
カラーキラー回路９は、当該色信号再生回路１を備えているカラーテレビジョン受信装置において白黒放送を受信したときに、色信号再生回路１において色ノイズが発生するのを防止するために設けられている。
例えば白黒放送を受信していると色信号再生回路１が動作していると、例えば３．５８±０．５ＭＨｚの帯域内にある輝度信号や不要な雑音成分が色信号再生回路１に混入し、白黒画像に色ノイズが発生する。
このため、カラーキラー回路９は、白黒放送を受信していると判別したときは、帯域増幅回路２の第２帯域増幅回路７に動作を停止させることで、色信号再生回路１において色ノイズが発生するのを防止するようにしている。
このようなカラーキラー回路９におけるカラー信号と白黒信号の判別は、後述する色同期回路３のバースト信号抽出／増幅回路１０においてカラーバースト信号が抽出されたかどうかによって判別するようにされる。
【００１２】
破線で囲った色同期回路３は、バースト信号抽出／増幅回路１０と、３．５８ＭＨｚ信号発生回路１１により構成され、帯域増幅回路２で分離、増幅された搬送色信号から色差信号を復調するために、３．５８ＭＨｚの色同期信号を生成するようにされる。
バースト信号抽出／増幅回路１０は、帯域増幅回路２の第１帯域増幅回路６から出力される搬送色信号に含まれているカラーバースト信号としてのデータ成分（バーストデータ）を抽出／増幅するようにされる。
３．５８ＭＨｚ信号発生回路１１は、バースト信号抽出／増幅回路１０において抽出されたバーストデータを基準にして、３．５８ＭＨｚの色同期信号を生成するようにされる。
【００１３】
色復調回路４は、色同期回路３からの色同期信号に基づいて、帯域増幅回路２から出力される搬送色信号から色差信号を復調するようにされる。
マトリクス回路５は、色復調回路４において復調された色差信号を増幅して、図示していない表示装置などにＲＧＢ信号を出力するようにされる。
【００１４】
そして、このように構成される本実施の形態の色信号再生回路１においては、その詳細については後述するが、ＡＣＣ回路８内に異なる２つの時定数回路を設けるようにしている。そして、これらの２つの時定数回路をカラーキラー回路９から出力されるキラー判別データに基づいて切り替えるように構成した点に特徴がある。
【００１５】
図２は、ＡＣＣ回路８の内部構成例を示した図である。
なお、図１と同一部位には同一番号を付してその詳細な説明は省略する。
この図２に示すＡＣＣ回路８には、バースト信号抽出／増幅回路１０において第１帯域増幅回路６の出力搬送色信号から抽出されたバーストデータが入力される。
この場合、バースト信号抽出／増幅回路１０において抽出されたバーストデータは、１Ｈ分データを遅延させる単位遅延素子（以下、「１ＨＤＬ」という）２１を介してピークレベル検出部２２に入力される。
ピークレベル検出部２２は、例えばピークホールド回路によって構成され、入力されるバーストデータのピーク値を検出して比較器（加算器）２３に出力するようにされる。
【００１６】
比較器２３は、バースト基準信号発生部２４からの基準信号レベルと、ピークレベル検出部２２からのバーストデータのピークレベルとを比較して、その差分データＶＢ１を求めて時定数切替部２８に入力するようにされる。
時定数切替部２８は、切替スイッチ２５、第１の時定数回路である６ビットシフト回路２６、及び第２の時定数回路である２ビットシフト回路２７を備えて構成され、上記比較器２３からの差分データＶｂ１が切替スイッチ２５を介して、６ビットシフト回路２６または２ビットシフト回路２７の何れかに入力される。
【００１７】
６ビットシフト回路２６は、入力データの６ビット下位シフトしてデータとして出力する。これに対して、２ビットシフト回路２７では、入力データの２ビット下位シフトしてデータとして出力するようにされる。
この場合、これらのシフト回路の応答速度は、データ数（ビット数）によって決定される。つまり、シフト回路のビット数を多くして、データを小さく設定すると時定数を大きくすることができる。また逆にシフト回路のビット数を少なくしてデータを大きく設定する時定数を小さくすることができる。
例えば６ビットシフト回路２６と２ビットシフト回路２７とを比較した場合は、２ビットシフト回路２７のほうが１６倍の速度とすることができる。
【００１８】
６ビットシフト回路２６または２ビットシフト回路２７から出力されるデータは、ゲイン係数設定部３１に供給される。
ゲイン係数設定部３１は、加算器２９と１ＨＤＬ３０とから構成され、時定数切替部２８からのデータと１ＨＤＬ３０に遅延された加算器２９の出力データとを加算して出力する。そして、この加算器２９の出力データを第１帯域増幅回路６のゲイン係数データとして第１帯域増幅回路６に供給することで、第１帯域増幅回路６のゲイン制御を行うようにしている。
これにより、最終的には、バースト信号抽出／増幅回路１０において抽出されるバーストデータと、バースト基準信号発生部２４のリファレンス信号とのレベル差がゼロになり、第１帯域増幅回路６において、搬送色信号の色レベルを適正なレベルとすることができる。
【００１９】
そして、このような本実施の形態のＡＣＣ回路８では、時定数切替部２８における時定数回路を、搬送色信号に含まれるカラーバースト信号のレベルに応じて切り換えるようにした。
例えば搬送色信号のカラーバースト信号が所定レベル以下であり、カラーバースト信号が含まれていると判別したとき、及びカラーバースト信号が所定レベル以下から所定レベル以上に変化したとき、つまりカラーバースト信号が無信号から有信号になったときは、時定数が小さく応答速度の速い２ビットシフト回路２７を選択するようにしている。
そして上記以外の期間、すなわち所定レベル以上のカラーバースト信号が入力されてから所定期間経過した後は、通常の時定数であり、応答速度が遅い６ビットシフト回路２６を選択するようにしている。
【００２０】
そして、本実施の形態においては、上記したような時定数切替部２８の時定数回路の切替制御を、カラーキラー回路９から出力される１ビットのキラー判別データを利用して行うようにしている。
カラーキラー回路９は、上述したように、バースト信号抽出／増幅回路１０において抽出されるバーストデータからキラー判別データを生成し、このキラー判別データに基づいて、第２帯域増幅回路７の動作制御を行うものとされる。
そこで、本実施の形態では、このカラーキラー回路９から出力されるキラー判別データをＡＣＣ回路８内に供給し、ＡＣＣ回路８内に設けられている時定数切替部２８の切替スイッチ２５の切替制御を行うようにしている。
【００２１】
この場合、切替スイッチ２５は、カラーキラー回路９からのキラー判別データがキラーオフを示すデータであるとき、即ち、搬送色信号に色データが含まれていると判別したときは６ビットシフト回路２６を選択するようにされる。
一方、カラーキラー回路９からのキラー判別データがキラーオンを示すデータであるときは２ビットシフト回路２７を選択するようにしている。
これにより、搬送色信号のカラーバースト信号が所定レベル以上とされる通常動作時においては６ビットシフト回路２６が選択され、カラーバースト信号が所定レベル以下のとき、及び所定レベル以下から所定レベル以上に変化したときは２ビットシフト回路２７が選択されるように構成している。
【００２２】
図３は、上記したカラーキラー回路９の構成例を示した図である。
この図３に示すカラーキラー回路９は、比較器４１、キラー判別回路４２、切替スイッチ４３、及び２つの異なる電圧レベルの基準電圧源４４，４５により構成される。
【００２３】
比較器４１は、バースト信号抽出／増幅回路１０（図１参照）からのバーストデータと、基準電圧源４４または４５から切替スイッチ４３を介して第１キラーレベルＶ１または第２キラーレベルＶ２の何れかが入力されており、このバーストデータのレベルと、第１キラーレベルＶ１または第２キラーレベルＶ２とを比較して、その比較結果である差分データＶｂ２を出力するようにされる。
【００２４】
キラー判別回路４２は、比較器４１からの差分データＶｂ２に基づいて、キラー判別データを出力する。そして、本実施の形態では、キラー判別回路４２から出力されるキラー判別データは、実際にバーストデータのレベルが変化してから所定期間経過した時点で、キラーオンからキラーオフのデータ、またはキラーオフからキラーオンのデータに変化するように構成されている。
即ち、カラーキラー回路９からキラー判別データは、実際のバーストデータのレベル変化に比べて所定のタイミングだけ遅れて変化する、いわゆるヒステリシス的に動作するように構成されている。なお、キラー判別回路４２の構成、及び動作については後述する。
【００２５】
なお、このようなキラー判別データは、カラーキラー回路９内の切替スイッチ４３の切替制御にも利用されている。例えばキラー判別データがキラーオンを示すキラーオンデータであるときは第１キラーレベルＶ１を選択し、キラー判別データがキラーオフデータであるときは第１キラーレベルより高い電圧レベルとされる第２キラーレベルＶ２を選択するようにしている。
このようにカラーキラー回路９内に２つの異なるレベル基準電圧源４４，４５を設けておくようにすると、キラー判別データがキラーオン状態にあるバーストデータのレベルが低いときは、バーストデータは、比較器４１において電圧レベルの低い第１キラーレベルＶ１と比較されることになる。
これに対して、キラー判別データがオフとなるバーストデータのレベルが高いときは、バーストデータは比較器４１において電圧レベルの高い第２キラーレベルＶ２と比較されることになる。
このように構成すると、比較器４１におけるバーストデータの検出動作においてノイズ等の影響を受けにくい構成とすることができる。
【００２６】
図４は、キラー判別回路４２の回路構成の一例を示した図である。
この図４に示すキラー判別回路４２は、キラー判別制御部４６、キラーオンカウンタ４７、キラーオフカウンタ４８を備えて構成される。
キラー判別制御部４６は、比較器４１からの差分データＶｂ２の電圧レベルが０Ｖより大きいかどうかによって、キラーオンカウンタ４７またはキラーオフカウンタ４８の何れかのカウント値を１デクリメントする。そして、キラーオンカウンタ４７またはキラーオフカウンタ４８の何れかのカウンタ値が「０」になった時点で、キラーオンまたはキラーオフを示すキラー判別データを出力するようにしている。
この場合、キラーオンカウンタ４７及びキラーオフカウンタ４８は、キラー判別制御部４６によって予め初期値が与えられており、この初期値によってキラー判別回路４２から出力されるキラー判別データについて、実際のバーストデータのレベル変化のタイミングに対して、所定時間遅延させたタイミングにより遅れて変化させるようにしている。
なお、キラーオンカウンタ４７及びキラーオフカウンタ４８に与える初期値は任意に設定可能である。
【００２７】
従って、このような構成のカラーキラー回路９によってＡＣＣ回路８内の時定数切替部２８の切替制御を行うようにすれば、搬送色信号に含まれるカラーバースト信号のレベルが所定レベル以下から所定レベル以上に変化したとしても、時定数切替部２８の切替スイッチ２５は、所定期間、応答速度の速い２ビットシフト回路２７と接続した状態で保持され、その後、応答速度の遅い６ビットシフト回路に切り替わることになる。
これにより、例えば白黒画像を表示している状態からカラー画像の表示に切り替わるときに、第１帯域増幅回路６によりカラーレベルの過大な補正が行われ、瞬間的に色レベルが大きくなって画像の品位を低下させるという不具合を解消することができる。
【００２８】
このように構成すれば、例えば搬送色信号に含まれるバースト信号のレベルが所定レベル以下のとき、即ちＡＣＣ回路８から第１帯域増幅回路６に対して出力されるゲイン係数データが最大となっている期間、及び、所定レベル以下のバースト信号が所定レベル以上に変化した瞬間においては、応答速度の速い時定数回路が選択されるのでバースト信号の急激なレベル変化にも、ＡＣＣ回路８を追従させることができる。
これにより、例えば白黒画像を表示している状態からカラー画像の表示に切り替わる瞬間において、第１帯域増幅回路６によりカラーレベルの過大な補正が行われ、瞬間的に色レベルが大きくなって画像の品位を低下させるという不具合を解消することができる。
【００２９】
また、通常動作時は、応答速度の遅い６ビットシフト回路２６が時定数回路として選択されるので、受信中に映像信号のレベルがノイズ等により変動したとしても、画像の品位を低下させることがないという利点ある。
【００３０】
さらに、例えば放送信号として弱電界信号が入力され、これに伴って搬送色信号に含まれるバースト信号のレベルが変動し、カラーキラー回路９の判別データがキラーオン、キラーオフを示すデータに繰り返し変化した場合でも、本実施の形態の色信号再生回路１によれば、従来に比べて切り替わり時の引き込み動作が速くすることができるため色付きの安定感の向上を図ることできる。
【００３１】
図５は、上記したキラー判別回路４２において実行される処理動作を示したフローチャートである。なお、図５に示す処理動作は、キラー判別回路４２のキラー判別制御部４６が行うものとされる。
この場合は、キラー判別制御部４６は、ステップＳ１０１において、比較器４１からの差分データＶｂ２のレベルが０Ｖより大きいかどうかの判別を行う。そして、差分データＶｂ２が０Ｖより大きいと判別したときはステップＳ１０２に進み、ステップＳ１０２において、キラーオンカウンタ４７のカウント値Ｃａ１を１デクリメントする。
【００３２】
そして続くステップＳ１０３において、キラーオンカウンタ４７のカウント値Ｃａ１が「０」になったかどうかの判別を行い、カウント値Ｃａ１が「０」のときはステップＳ１０４に進んで、カラーキラーがオンであると判別する。そして次のステップＳ１０５において、キラーオンカウンタ４７のカウント値Ｃａ１に所定の初期値を与えて処理を終えるようにする。
なお、ステップＳ１０３において否定結果が得られたときは、ステップＳ１０４、Ｓ１０５の処理を行うことなく、処理を終えることになる。
【００３３】
一方、ステップＳ１０１において、否定結果が得られたとき、すなわち差分信号Ｖｂ２が０Ｖ以下である判別したときは、ステップＳ１０６に進み、キラーオフカウンタ４８のカウント値Ｃａ２を１デクリメントする。そして続くステップＳ１０７において、キラーオフカウンタ４８のカウント値Ｃａ２が「０」であるかどうかの判別を行い、カウント値Ｃａ２が「０」のときはステップＳ１０８に進んで、カラーキラーがオフと判別する。そして次のステップＳ１０９において、キラーオフカウンタ４８のカウント値Ｃａ２に所定の初期値を与えて処理を終えることになる。なお、ステップＳ１０７において否定結果が得られたときは、ステップＳ１０８、Ｓ１０９の処理を行うことなく処理を終えるようにする。
【００３４】
このようにすれば、カラーキラー回路９のカラー判別データを利用して、ＡＣＣ回路８内に設けた時定数回路（６ビットシフト回路２６と２ビットシフト回路）を適正なタイミングで切り換えることが可能になり、表示画像の品位が低下するのを防止することができる。
例えば、具体的に説明すれば、従来、時定数回路として６ビットシフト回路だけを備えたＡＣＣ回路８においては、バースト信号のレベルが所定レベル以下から所定レベル以上に変化したときには、表示画面の１／３程度に色レベルの異常が認められたが、本実施の形態によれば、表示画面の色レベルの異常が殆ど認められないようにすることができる。
【００３５】
なお本実施の形態では、バースト信号判別手段をカラーキラー回路を利用して構成するようにしたが、これはあくまでも一例であり、バースト信号判別手段をは別途構成することも可能である。
【００３６】
また本実施の形態では、増幅回路として入力信号である複合映像信号から搬送色信号を分離して増幅する帯域増幅回路２を例に挙げて構成したが、これはあくまでも一例であり、例えば入力信号として搬送色信号を入力すれば、増幅回路は、必ずしも帯域増幅回路２により構成する必要はない。
【００３７】
【発明の効果】
以上説明したように、本発明の色信号再生回路によれば、搬送色信号に含まれるバースト信号の有無に応じてバースト信号判別手段から出力される判別データに基づいて、搬送色信号を増幅する増幅手段の利得を利得データに応じた利得に引き込む引込速度を、判別データにより切り換えるように構成したことで、搬送色信号のレベル変動に対する色信号利得制御回路の応答速度を適正なものとすることが可能になる。
これにより、例えば受信中における映像信号のレベル変動に追従してカラーレベルが変化することにより画像品位が低下するのを防止することができる。また、搬送色信号が無信号の状態から通常の信号入力状態に変化する過渡期に色レベルが大きくなり、画像品位が低下するという欠点も解消するができる。
【図面の簡単な説明】
【図１】本発明の実施の形態の色信号再生回路の構成を示したブロック図である。
【図２】本実施の形態のＡＣＣ回路の構成を示したブロック図である。
【図３】本実施の形態のカラーキラー回路の構成を示したブロック図である。
【図４】本実施の形態のキラー判別回路の構成を示した図である。
【図５】キラー判別回路におけるキラー判別データの生成処理を示したフローチャートである。
【符号の説明】
１　色信号再生回路、２　帯域増幅回路、３　色同期回路、４　色復調回路、５　マトリクス回路、６　第１帯域増幅回路、７　第２帯域増幅回路、８　ＡＣＣ回路、９　カラーキラー回路、１０　バースト信号抽出／増幅回路、１１　３．５８ＭＨｚ信号発生回路、２１　３０　単位遅延素子（１ＨＤＬ）、２２　ピークレベル検出部、２３　４１　比較器、２４　バースト基準信号発生部、２５　４３　切替スイッチ、２６　６ビットシフト回路、２７　２ビットシフト回路、２８　時定数切替部、２９　加算器、３１　ゲイン係数設定部、４２　キラー判別回路、４４　４５　基準電圧源、４６　キラー判別制御部、４７　キラーオンカウンタ、４８　キラーオフカウンタ
【図１】
2004080536.tif 000003
【図２】
2004080536.tif 000004
【図３】
2004080536.tif 000005
【図４】
2004080536.tif 000006
【図５】
2004080536.tif 000007